(57)【要約】【課題】ナンバリング印刷時の文字情報を通信媒体から指示可能とすることで、ユーザの利便性を向上する。【解決手段】プリンタ１は、文字情報を記憶したタグカードＣとＮＦＣ通信を行うＮＦＣ用通信部１４１と、制御回路１４３と、を有し、制御回路１４３は、ＮＦＣ用通信部１４１の第１アンテナ１４１ａに対しタグカードＣが接触又は近接したことを契機に、当該ＮＦＣ用通信部１４１を介したＮＦＣ通信によりタグカードＣから文字情報を取得し、テープ送りローラ駆動軸１０８及び印字ヘッド２３を制御し、上記取得した文字情報を形成した印字ラベルＬを生成し、印字ラベルＬの生成に対応し、上記取得した文字情報を更新し、ＮＦＣ用通信部１４１の第１アンテナ１４１ａに対しタグカードＣが接触又は近接したことを契機に、上記ＮＦＣ通信により、上記更新した文字情報をタグカードＣに書き込む処理を実行する。【選択図】図６
2020124850.tif 000002
【特許請求の範囲】
【請求項１】
被印字媒体を搬送する搬送手段と、
搬送される前記被印字媒体に対して所望の印字を形成して印刷物を生成する印字手段と、
変数情報を記憶した通信媒体と無線通信を行う通信手段と、
制御手段と、
を有し、
前記制御手段は、
前記通信手段に対し前記通信媒体が接触又は近接したことを契機に、当該通信手段を介した前記無線通信により当該通信媒体から前記変数情報を取得する情報取得処理；
前記搬送手段及び前記印字手段を制御し、前記情報取得処理で取得した前記変数情報に対応する印字を形成した前記印刷物を生成する印刷物生成処理；
前記印刷物の生成に対応し、前記情報取得処理で取得した前記変数情報を更新する情報更新処理；
前記通信手段に対し前記通信媒体が接触又は近接したことを契機に、当該通信手段を介した前記無線通信により、前記情報更新処理で更新した前記変数情報を当該通信媒体に書き込む情報書込処理；
を実行する
ことを特徴とする印刷装置。
【請求項２】
請求項１記載の印刷装置において、
前記変数情報は、
インクリメント可能な１つの文字情報であり、
前記情報取得処理では、
前記通信媒体が記憶している前記１つの文字情報を取得し、
前記情報更新処理では、
前記取得された１つの文字情報をインクリメントし、
前記情報書込処理では、
前記インクリメントされた１つの文字情報を前記通信媒体に書き込む
ことを特徴とする印刷装置。
【請求項３】
請求項２記載の印刷装置において、
前記制御手段は、
前記印刷物生成処理において所定のエラー事象が発生したか否かを判定するエラー判定処理；
をさらに実行し、
前記エラー判定処理において前記エラー事象が発生したと判定された場合には、前記情報更新処理及び前記情報書込処理を実行しない
ことを特徴とする印刷装置。
【請求項４】
請求項１記載の印刷装置において、
前記通信媒体は、
生成される複数の前記印刷物の個数情報をさらに記憶しており、
前記変数情報は、
対応する印字が前記印刷物に形成済みである少なくとも１つの文字情報であり、
前記情報取得処理では、
前記通信媒体が記憶している前記少なくとも１つの文字情報と前記個数情報とを取得し、
前記情報更新処理では、
前記取得された前記少なくとも１つの文字情報に対し、対応する印字が前記印刷物生成処理にて新たに前記印刷物に形成された文字情報を加えることにより、複数の文字情報を新たに生成し、
前記情報書込処理では、
前記新たに生成された前記複数の文字情報を前記通信媒体に書き込む
ことを特徴とする印刷装置。
【請求項５】
請求項１乃至請求項４のいずれか１項記載の印刷装置において、
少なくとも１つの印字オブジェクトを所望の態様で割り付けたテンプレートを記憶した記憶手段をさらに有し、
前記印刷物生成処理では、
前記記憶手段から読み出した前記テンプレートに対応した印字を形成するとともに、前記情報取得処理で取得した前記変数情報に対応する印字を追加して形成して、前記印刷物を生成する
ことを特徴とする印刷装置。
【発明の詳細な説明】
【技術分野】
【０００１】
本発明は、被印字媒体に所望の印刷を行う印刷装置に関する。
【背景技術】
【０００２】
被印字媒体に印刷を行う印刷装置において、無線通信で情報を取得して印刷を行う技術が既に知られている（例えば、特許文献１参照）。この従来技術では、ユーザが携帯端末を印刷装置にかざすことで、近距離無線通信により携帯端末から印刷装置へ情報が送信され、印刷物が作成される。
【先行技術文献】
【特許文献】
【０００３】
【特許文献１】特開２０１５−７８５７号公報
【発明の概要】
【発明が解決しようとする課題】
【０００４】
一方、ユーザの用途として、被印字媒体に対しいわゆるナンバリング印刷を行う場合がある。このナンバリング印刷では、複数の印刷物それぞれに含まれる文字が、各印刷物が作成される順番に沿って、順次、変更（インクリメント）される態様となる。
【０００５】
上記ナンバリング印刷により複数の印刷物を作成する際に、上記従来技術の手法を応用し、各印刷物に付される上記文字の内容を近距離無線通信によって適宜の通信媒体から印刷装置に指示できれば、ユーザにとって非常に便利である。しかしながら、そのような技術は従来存在しなかった。
【０００６】
本発明の目的は、ナンバリング印刷時の文字情報を通信媒体から指示可能とすることで、ユーザの利便性を向上できる印刷装置を提供することにある。
【課題を解決するための手段】
【０００７】
上記目的を達成するために、本願発明は、被印字媒体を搬送する搬送手段と、搬送される前記被印字媒体に対して所望の印字を形成して印刷物を生成する印字手段と、変数情報を記憶した通信媒体と無線通信を行う通信手段と、制御手段とを有し、前記制御手段は、前記通信手段に対し前記通信媒体が接触又は近接したことを契機に、当該通信手段を介した前記無線通信により当該通信媒体から前記変数情報を取得する情報取得処理；前記搬送手段及び前記印字手段を制御し、前記情報取得処理で取得した前記変数情報に対応する印字を形成した前記印刷物を生成する印刷物生成処理；前記印刷物の生成に対応し、前記情報取得処理で取得した前記変数情報を更新する情報更新処理；前記通信手段に対し前記通信媒体が接触又は近接したことを契機に、当該通信手段を介した前記無線通信により、前記情報更新処理で更新した前記変数情報を当該通信媒体に書き込む情報書込処理；を実行することを特徴とする。
【０００８】
本願発明においては、通信媒体に変数情報が記憶されており、この記憶された変数情報に基づき、印刷装置においていわゆるナンバリング印刷が実行される。
【０００９】
すなわち、ユーザが通信媒体を手に持って印刷装置の通信手段に接触させる又はかざすと、通信媒体との無線通信（いわゆる近距離無線通信）を介し、印刷装置の制御手段により上記変数情報が取得される（情報取得処理）。そして、その取得された変数情報に基づき、搬送される被印字媒体への印字が形成されることで、上記変数情報に対応する印字が形成され印刷物が生成される（印刷物生成処理）。この印刷物の生成に対応して、上記取得された変数情報の更新が行われる（情報更新処理）。その後、ユーザが、再度通信媒体を手に持って印刷装置の通信手段に接触させる又はかざすことで、通信媒体との無線通信（いわゆる近距離無線通信）が行われ、上記のようにして更新された変数情報が通信媒体に書き込まれる。これにより、ユーザが通信媒体を通信手段にかざすたびに、上記の一連の処理が実行され、都度更新されている最新の変数情報に基づく印字を備えた印刷物が生成される。
【００１０】
以上のようにして、本願発明によれば、通信媒体に記憶した変数情報の内容を近距離無線通信により印刷装置に送信することで当該変数情報に対応した印字形成を指示し、ナンバリング印刷を行うことができる。この結果、ユーザにとっての利便性を向上することができる。
【００１１】
特に、通信媒体を１回かざすごとに１つの印刷物を生成する動作を複数回繰り返すことで、上記ナンバリング印刷を行う態様が考えられる。この場合、例えばある回の印刷物生成処理において何らかのエラー事象が発生して印刷物の生成に失敗（すなわちナンバリング印刷の途中中断）したとしても、ユーザが通信媒体を用いて別の印刷装置に対し上記変数情報による指示を行うことで、中断後の残りのナンバリング印刷を当該別の印刷装置において続行することも可能である。
【００１２】
また特に、作成する全印刷物の数の印刷指示が通信媒体に記憶されるとともに、それら印刷物のうち生成が完了した印刷物に対応する変数情報が通信媒体に書き込まれる態様も考えられる。この場合、ユーザは、意図的に、上記全印刷物の数のうちある個数までは１つの印刷装置で作成した後、残りの印刷物については上記同様に別の印刷装置に対し上記変数情報による指示を行うことで、作成することも可能となる。
【発明の効果】
【００１３】
本発明によれば、ナンバリング印刷時の文字情報を通信媒体から指示可能とすることで、ユーザの利便性を向上することができる。
【図面の簡単な説明】
【００１４】
【図１】本発明の一実施形態のプリンタを、タグカードと共に示すシステム構成図である。
【図２】プリンタの外観構造を表す斜視図である。
【図３】カートリッジカバーを開いた状態のプリンタの外観を表す斜視図である。
【図４】カートリッジの内部構造を表す概念的平面図である。
【図５】プリンタ及びタグカードの機能的構成を表すブロック図である。
【図６】タグカードを用いてプリンタでナンバリング印刷が行われる挙動を表す説明図である。
【図７】ナンバリング印刷が途中で失敗した場合にプリンタを変えて印刷続行する場合の説明図である。
【図８】プリンタの制御回路によって実行される制御内容を表すフローチャートである。
【図９】タグカードに生成済みの印字ラベルの文字情報を記憶させる変形例において、ナンバリング印刷が行われる挙動を表す説明図である。
【図１０】タグカードに生成済みの印字ラベルの文字情報を記憶させる変形例において、ナンバリング印刷が行われる挙動を表す説明図である。
【図１１】プリンタの制御回路によって実行される制御内容を表すフローチャートである。
【図１２】テンプレート印刷においてナンバリングを行う変形例における印字ラベルの一例、及び、テンプレートの一例を表す説明図である。
【図１３】テンプレート印刷においてナンバリングを行いつつ印字ラベルが生成される挙動を表す説明図である。
【発明を実施するための形態】
【００１５】
以下、本発明の一実施の形態を図面を参照しつつ説明する。
【００１６】
＜システム構成＞
図１に、本実施形態のプリンタ１（印刷装置に相当）を、タグカードＣと共に示す。タグカードＣは、上記プリンタ１に近接されることでプリンタ１との間で近距離通信（詳細は後述）による情報送受信を実行可能である。
【００１７】
＜プリンタの構成＞
図２及び図３を用いて、上記プリンタ１の概略構成について説明する。
【００１８】
図２及び図３に示すように、プリンタ１は、その外郭を構成する筐体２を備える。筐体２は、装置下面を構成しかつ装置側面と一体となった樹脂製の下カバー１５と、装置上面を構成する樹脂製の上カバー１７とにより構成されている。
【００１９】
下カバー１５の側面には、凹部１５ｂと、当該凹部１５ｂ内の奥部の中央に形成され、印字済ラベル用テープ１０９（後述の図４参照）を排出する排出口１５ａと、を備えている。
【００２０】
上カバー１７には、前方向から後方向に向けて、文字入力等の種々の操作が行われるキーボード３と、印刷ボタンや電源ボタン等を含む、プリンタ１の各種機能を実行させるための機能キー群４と、例えば矩形開口状の開口部を塞ぐように装着された表示部７とが設けられている。
【００２１】
また、プリンタ１の上面後部側には、カートリッジ８を着脱可能なカートリッジホルダ９が設けられている。上記上カバー１７は、テープカセット状のカートリッジ８を装着するためのカートリッジカバー１７ａを備えている。カートリッジホルダ９は、カートリッジカバー１７ａによって常には閉塞される（図２参照）一方、カートリッジカバー１７ａを開放することで、露出される（図３参照）。
またこのカートリッジカバー１７ａの端部に、欠き取り部１７ｂが設けられている。そしてこの欠き取り部１７ｂに収納されるように、上記印字済ラベル用テープ１０９をカットするための操作レバーであるカットレバー５０が設けられている。
【００２２】
次に、カートリッジ８及びカートリッジホルダ９の詳細構造を図４を用いて説明する。カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である透明な被印字テープ１０３が巻回された第２ロール１０４（実際は渦巻き状であるが、図では簡略的に同心円状に示す）と、インクリボン１０５（但し被印字テープ１０３が感熱テープの場合は不要）を繰り出すリボン供給側ロール１１１と、印字後のインクリボン１０５を巻取るリボン巻取りローラ１０６と、カートリッジ８のテープ排出部の近傍に回転可能に支持されたテープ送りローラ２７とを有する。なお、被印字テープ１０３が、請求項記載の被印字媒体に相当する。
【００２３】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記被印字テープ１０３を巻回している。
【００２４】
テープ送りローラ２７は、上記基材テープ１０１と上記被印字テープ１０３とを押圧し接着させ上記印字済ラベル用テープ１０９としつつテープ送りを行う。
【００２５】
また、印字済ラベル用テープ１０９の搬送経路に沿ってテープ送りローラ２７及び圧着ローラ２８の下流側（すなわち後述の印字ヘッド２３よりも下流側）には、固定刃４０と、上記カットレバー５０の手動操作により上記固定刃４０に対し前進し固定刃４０との協働により印字済ラベル用テープ１０９を厚さ方向に切断する可動刃４１と、が設けられている。
【００２６】
一方、カートリッジホルダ９には、カートリッジ８内の使用済みの上記インクリボン１０５を巻き取るためのリボン巻取りローラ駆動軸１０７と、上記印字済ラベル用テープ１０９を搬送するためのテープ送りローラ駆動軸１０８とが設けられている。なお、このテープ送りローラ駆動軸１０８が、請求項記載の搬送手段に相当する。前述のリボン巻取りローラ１０６及びテープ送りローラ２７は、不図示の搬送ローラ用モータの駆動力が上記リボン巻取りローラ駆動軸１０７及び上記テープ送りローラ駆動軸１０８に伝達されることによって、連動して回転駆動される。またカートリッジホルダ９には、搬送される被印字テープ１０３に所望の印刷を行う印字ヘッド２３が、カートリッジ８の装着時にその開口部に位置するように設けられている。なお、この印字ヘッド２３が、請求項記載の印字手段に相当する。なお、印字ヘッド２３は、上記可動刃４１及び固定刃４０と、テープ搬送経路に沿って所定の離間距離で離間するよう配置されている。また、カートリッジホルダ９には、当該カートリッジホルダ９に装着されたカートリッジ８の種類（言い換えれば被印字テープ１０３のテープ幅等の各種テープ属性を表す被印字テープ１０３の種類）を公知の手法で検出するカートリッジセンサ９Ａを備えている。
【００２７】
＜印字テープ作成動作概略＞
上記構成において、カートリッジ８が上記カートリッジホルダ９に装着されると、被印字テープ１０３及びインクリボン１０５が印字ヘッド２３とこれに対向するプラテンローラ２６との間に狭持される。また、基材テープ１０１及び被印字テープ１０３が、テープ送りローラ２７とこれに対向する圧着ローラ２８との間に狭持される。そして、リボン巻取りローラ１０６及びテープ送りローラ２７が図４中矢印Ｂ及び矢印Ｃで示す方向にそれぞれ同期して回転駆動される。これにより、テープ送りローラ２７、圧着ローラ２８、及びプラテンローラ２６が回転し、第１ロール１０２から基材テープ１０１が繰り出され、テープ送りローラ２７へ供給される。一方、第２ロール１０４からは被印字テープ１０３が繰り出されるとともに、不図示の印刷駆動回路により印字ヘッド２３の複数の発熱素子が通電される。この結果、被印字テープ１０３の裏面に印字が印刷される。
【００２８】
そして、上記基材テープ１０１と上記印刷が終了した被印字テープ１０３とが上記テープ送りローラ２７及び圧着ローラ２８により接着されて一体化されて印字済ラベル用テープ１０９として形成され、テープ排出部よりカートリッジ８外へと搬出される。
【００２９】
被印字テープ１０３への印字が終了したインクリボン１０５は、リボン巻取りローラ駆動軸１０７の駆動によりリボン巻取りローラ１０６に巻取られる。
【００３０】
上記のようにしてカートリッジ８外へ搬出された印字済ラベル用テープ１０９は、上記カットレバー５０の手動操作に基づく固定刃４０及び可動刃４１の協働によって切断され、印刷物としての印字ラベルＬ（後述の図６等参照））が生成される。このときの切断は、前述したように、ユーザによる上記カットレバー５０の手動操作が図示しない機構を介し可動刃４１に伝えられ、可動刃４１が固定刃４０に対し前進して可動刃４１と固定刃４０とが鋏状に閉じ合わされることで、行われる。
【００３１】
＜プリンタ及びタグカードの機能的構成＞
図５を用いて、プリンタ１及びタグカードＣの機能的構成を説明する。
【００３２】
＜プリンタの機能的構成＞
図５において、プリンタ１は、被印字テープ１０３に所望の印刷を行う上記印字ヘッド２３と、上記プラテンローラ２６と、制御回路１４３と、例えばＲＡＭやＲＯＭ等からなるメモリ１４４と、所望の表示を行う上記表示部７と、ＮＦＣ用通信部１４１と、第１アンテナ１４１ａと、通信制御部１４２と、第２アンテナ１４２ａと、を有している。制御回路１４３は、図示しないＲＡＭの一時記憶機能を利用しつつ図示しないＲＯＭ又はメモリ１４４に予め記憶されたプログラムに従って信号処理を行うことで、プリンタ１全体の制御を行う。なお、上記制御回路１４３が、請求項記載の制御手段に相当し、メモリ１４４が、請求項記載の記憶手段に相当している。
【００３３】
ＮＦＣ用通信部１４１は、プリンタ１とタグカードＣとの間で、第１アンテナ１４１ａを介して行われる、通信距離が比較的短い（例えば数１０ｃｍ程度の）近距離無線通信であるＮＦＣ通信（Ｎｅａｒ  Ｆｉｅｌｄ  Ｃｏｍｍｕｎｉｃａｔｉｏｎ）の制御を行う。なお、このＮＦＣ用通信部１４１が、請求項記載の通信手段に相当する。
【００３４】
通信制御部１４２は、第２アンテナ１４２ａ及び建物内や屋外等に存在する図示しないアクセスポイントＡＣＰ（基地局）を介して、図示しない情報端末との間で行われる、通信距離が比較的長い（例えば上記ＮＦＣ通信よりも長い数ｍ〜数１０ｍ程度）相互認識無線通信の制御を行う。上記操作端末は、上記相互認識無線通信に対応する機能を備えたＰＤＡ（携帯情報端末）やスマートフォン（ＰＤＡ機能を備えた携帯電話）等である。なお、この通信制御部１４２及び第２アンテナ１４２ａを省略してもよい。
【００３５】
メモリ１４４には、後述する図８に示す処理を実行するための印刷処理プログラムを含む各種プログラムが記憶されている。表示部７には、所望の表示（例えば、ユーザによるラベル編集時に編集したラベルイメージ等の表示等）が行われる。
【００３６】
＜タグカードの機能的構成＞
タグカードＣは、ＮＦＣ通信媒体の一種であり、タグアンテナ１５１と、ＩＣ回路部１５０とを有し、ＩＣ回路部１５０は、メモリ部１５５と、タグ制御部１５７とを有している。
【００３７】
メモリ部１５５はタグ制御部１５７と接続されている。メモリ部１５５及び上記タグアンテナ１５１は、上記タグ制御部１５７によって制御される。
【００３８】
タグアンテナ１５１は、上記タグ制御部１５７の制御に従い、上記プリンタ１の第１アンテナ１４１ａとの間のＮＦＣ通信により、プリンタ１との間で情報を送受信可能である。このＮＦＣ通信には、例えば１３．５６ＭＨｚ帯が利用される。これにより、ユーザがタグカードＣを手に持ってプリンタ１の第１アンテナ１４１ａに対し、接触させる、又は、かざすすなわち近接させる（以下適宜、これらの操作を総称して単に「かざす」と称する）ことにより、タグカードＣとプリンタ１とのＮＦＣ通信が確立する。
【００３９】
＜本実施形態の特徴＞
上記基本構成の本実施形態において、その特徴は、ユーザがタグカードＣをプリンタ１にかざすことで、いわゆるナンバリング印刷を実行できることにある。以下、その詳細を順を追って説明する。
【００４０】
＜通常のナンバリング印刷＞
例えば図６（ａ）に示すように、上記タグカードＣのメモリ部１５５には、ナンバリング印刷を指示する印刷コマンドと、変数情報としての１つの文字情報（この例では数字列「００１」。以下適宜、単に、文字情報「００１」等と称する）が記憶されている。ユーザが、タグカードＣを手に持ってプリンタ１（詳細には上記第１アンテナ１４１ａ。以下同様）にかざすと、タグカードＣとのＮＦＣ通信により、メモリ部１５５に記憶されている上記印刷コマンドと上記文字情報「００１」とが、プリンタ１に送信される。これにより、プリンタ１に当該文字情報「００１」の印刷が指示され、図６（ｂ）に示すように、プリンタ１において、受信して取得された上記文字情報「００１」に対応した印字「００１」が形成された印字ラベルＬ（以下適宜、「００１」ラベルＬ、等と称する）が生成される。
【００４１】
上記「００１」ラベルＬの生成後、プリンタ１は、図６（ｃ）に示すように、上記取得した文字情報「００１」を一定の規則性でインクリメント（この例では数字を「１」ずつ増加）し、そのインクリメント後の文字情報（この例では数字列「００２」）を上記ＮＦＣ通信によりタグカードＣへと送信する。これにより、タグカードＣのメモリ部１５５に文字情報「００２」が書き込まれ、更新される。
【００４２】
その後、ユーザが、図６（ｄ）に示すように、上記のようにして文字情報「００２」がメモリ部１５５に記憶されているタグカードＣを手に持って、改めてプリンタ１にかざすと、上記同様、ＮＦＣ通信により上記印刷コマンドと文字情報「００２」とがプリンタ１に送信される。
【００４３】
これにより、上記同様、図６（ｅ）に示すように、プリンタ１において、取得された上記文字情報「００２」に対応した「００２」ラベルＬが生成される。
【００４４】
その後、前述と同様、プリンタ１は、図６（ｆ）に示すように、上記取得した文字情報「００２」を「００３」にインクリメントし、インクリメントした文字情報「００３」を上記ＮＦＣ通信によりタグカードＣに送信し、タグカードＣのメモリ部１５５の文字情報を「００３」に更新する。
【００４５】
以降、ユーザがタグカードＣをかざすたびに、このような印刷指示、印字ラベルＬの生成、及び、文字情報の更新の一連の処理が実行される。その際、各回の印字ラベルＬの生成時には、その時点での最新の文字情報（上記文字情報「００１」、文字情報「００２」、文字情報「００３」・・）に基づく印字が形成された印字ラベルＬ（上記「００１」ラベルＬ、「００２」ラベルＬ、「００３」ラベルＬ、・・）が生成される。
【００４６】
＜途中でプリンタを変えてナンバリング印刷＞
上記のようにタグカードＣを１回かざすごとに１つの印字ラベルＬを生成していく場合において、例えばある回の印字ラベル生成処理において何らかのエラー事象が発生した場合（印字ラベルＬの生成に失敗した場合や、印字のかすれ等のエラーが有るまま印字ラベルＬの生成自体は完了した場合も含む）があり得る。このようにナンバリング印刷が途中中断した場合には、ナンバリング印刷を実行するプリンタ１を別のプリンタに代えることで、不都合を回避することができる。
【００４７】
例えば、上記図６（ａ）と同様の図７（ａ）に示すように、ユーザが、タグカードＣをプリンタ１にかざすことで上記印刷コマンド及び文字情報「００１」が送信されたとき、図７（ｂ）に示すように、何らかの原因でプリンタ１が「００１」ラベルＬの印刷に失敗したとする。
【００４８】
この場合は、前述の図６（ｃ）とは異なり、図７（ｃ）に示すように、プリンタ１では文字情報「００１」から「００２」へのインクリメントは行われず、ＮＦＣ通信によるタグカードＣのメモリ部１５５に対する文字情報「００２」の書き込みも行わない。すなわち、タグカードＣのメモリ部１５５に記憶されている文字情報は、図７（ａ）のときと同じ文字情報「００１」で維持される。
【００４９】
ユーザは、上記のような作成失敗に対応して、図７（ｄ）に示すように、使用するプリンタを（プリンタ１と同様の構成・機能を備えた）別のプリンタ１′に変え、タグカードＣをそのプリンタ１′（詳細には上記第１アンテナ１４１ａ）にかざす。これにより、上記図６（ａ）及び図７（ａ）と同様、タグカードＣとのＮＦＣ通信により、上記印刷コマンドと上記文字情報「００１」とがプリンタ１′に送信される。
【００５０】
これにより、プリンタ１′は、図７（ｅ）に示すように、上記図６（ｂ）と同様に、文字情報「００１」に対応した「００１」ラベルＬを生成する。
【００５１】
その後、プリンタ１′は、図７（ｆ）に示すように、上記図６（ｃ）と同様に、文字情報「００１」を「００２」にインクリメントし、インクリメントした文字情報「００２」を上記ＮＦＣ通信によりタグカードＣに送信し、タグカードＣのメモリ部１５５の文字情報を「００２」に更新する。
【００５２】
以下、前述と同様、ユーザが、プリンタ１′にタグカードＣをかざすたびに、上記印刷指示、印字ラベルＬの生成、及び、文字情報の更新の一連の処理が実行され、各回の印字ラベルＬの生成時にはその時点での最新の文字情報に基づく印字が形成された印字ラベルＬが生成される。
【００５３】
なお、変数情報としての文字情報のインクリメントは、「００１」→「００２」→「００３」・・・のように、数字例の数字が１ずつ増加する場合だけでなく、「００１」→「００３」→「００５」・・・のように２ずつ増加する等、文字情報が一定の規則性で変化する（増加だけでなく減少も含む）ものであればよい。また、最初の数字は「００１」に限らず、「００２」等、任意の所望の数字とすることもできる。また、文字情報は数字情報に限られず、「ＡＡ」のような英文字等の文字情報でもよく、その場合のインクリメントは「ＡＡ」→「ＢＢ」→「ＣＣ」・・・のような所定の規則性を備えているものであれば足りる。
【００５４】
＜プリンタの制御手順＞
上記の手法を実現するために上記制御回路１４３によって実行される制御内容を、図８のフローチャートにより説明する。
【００５５】
図８において、まず、ステップＳ１０で、制御回路１４３は、前述のようにタグカードＣが第１アンテナ１４１ａにかざされることで、タグカードＣとの間のＮＦＣ通信が確立したか否かを公知の適宜の手法（詳細説明は省略）により判定する。ＮＦＣ通信が確立されるまではステップＳ１０の判定は満たされず（Ｓ１０：ＮＯ）、ループ待機する。ＮＦＣ通信が確立されたらステップＳ１０の判定が満たされて（Ｓ１０：ＹＥＳ）、制御回路１４３は処理をステップＳ２０に移す。
【００５６】
ステップＳ２０では、制御回路１４３は、ステップＳ１０で確立した上記ＮＦＣ通信を介し、タグカードＣのメモリ部１５５に記憶された文字情報（前述の例では「００１」「００２」・・等。図６（ａ）参照））を取得する。このステップＳ２０で実行する処理が請求項記載の情報取得処理に相当する。ステップＳ２０が終了すると、制御回路１４３は処理をステップＳ３０に移す。
【００５７】
ステップＳ３０では、制御回路１４３は、上記テープ送りローラ駆動軸１０８及び印字ヘッド２３を制御し、上記被印字テープ１０３に対し、上記ステップＳ２０で取得された文字情報を形成する上記ナンバリング印刷を実行する。このステップＳ３０で実行する処理が請求項記載の印刷物生成処理に相当する。ステップＳ３０が終了すると、制御回路１４３は処理をステップＳ４０に移す。
【００５８】
ステップＳ４０では、制御回路１４３は、上記ステップＳ３０で行った文字情報に対応した印字ラベルＬの印刷が正常に完了したか否かを公知の適宜の手法（詳細説明は省略）により判定する。上記ステップＳ３０で実行開始した前述の印刷の途中において何らかのエラー事象（テープジャム等の搬送異常、印字かすれ・テープ切れ等の印字異常、ヘッド過熱等の温度異常等）が発生し印字ラベルＬの印刷が正常に完了しなかった場合（言い換えれば、印字ラベルＬの印刷に失敗した場合）はステップＳ４０の判定は満たされず（Ｓ４０：ＮＯ）、制御回路１４３はこのフローを終了する。上記エラー事象が発生することなく被印字テープ１０３に上記文字情報が印字形成されて印字ラベルＬの印刷が正常に完了した場合は、ステップＳ４０の判定は満たされ（Ｓ４０：ＹＥＳ）、制御回路１４３は処理をステップＳ５０に移す。なお、このステップＳ４０で実行する処理が請求項記載のエラー判定処理に相当する。
【００５９】
ステップＳ５０では、制御回路１４３は、上記ステップＳ２０で取得された文字情報を所定の態様でインクリメント（前述の例では「００１」→「００２」、「００２」→「００３」等）する。なお、このステップＳ５０で実行する処理が請求項記載の情報更新処理に相当する。ステップＳ５０が終了すると、制御回路１４３は処理をステップＳ６０に移す。
【００６０】
ステップＳ６０では、制御回路１４３は、再び、上記ステップＳ１０と同様にタグカードＣが第１アンテナ１４１ａにかざされることで、タグカードＣとの間のＮＦＣ通信が確立されているか否かを公知の適宜の手法により判定する。ＮＦＣ通信が確立されていない場合はステップＳ６０の判定は満たされず（Ｓ６０：ＮＯ）、ループ待機する。ＮＦＣ通信が確立されていたらステップＳ６０の判定が満たされ（Ｓ６０：ＹＥＳ）、制御回路１４３は処理をステップＳ７０に移す。
【００６１】
ステップＳ７０では、制御回路１４３は、ステップＳ５０でインクリメントされた文字情報（前述の例では数字情報「００２」、「００３」等）を上記ＮＦＣ通信を介しタグカードＣに送信してメモリ部１５５に書き込むことで、メモリ部１５５に記憶された文字情報を更新する。このステップＳ７０で実行する処理が請求項記載の情報書込処理に相当する。ステップＳ７０が完了すると、制御回路１４３はこのフローを終了する。
【００６２】
＜実施形態の効果＞
以上説明したように、本実施形態においては、タグカードＣのメモリ部１５５に変数情報（上記の例では文字情報「００１」等）が記憶されており、この記憶された文字情報に基づき、プリンタ１においていわゆるナンバリング印刷が実行される。すなわち、ユーザがタグカードＣを手に持ってプリンタ１にかざすと、タグカードＣとのＮＦＣ通信を介し上記文字情報が取得される（ステップＳ２０参照）。そして、その取得された文字情報に対応する印字が形成されて印字ラベルＬが生成され（ステップＳ３０参照）、その印字ラベルＬの生成に対応した上記取得された文字情報の更新が行われる（ステップＳ５０参照）。その後、ユーザが、再度タグカードＣを手に持ってプリンタ１にかざすことで、タグカードＣとのＮＦＣ通信が行われ、上記更新された文字情報がタグカードＣのメモリ部１５５に書き込まれる（ステップＳ７０参照）。これにより、ユーザがタグカードＣをかざすたびに、上記一連の処理が実行され、その都度更新されている最新の文字情報に基づく印字を備えた印字ラベルＬが生成される。
【００６３】
以上のようにして、本実施形態によれば、タグカードＣに記憶した文字情報の内容をＮＦＣ通信によりプリンタ１に送信することで当該文字情報に対応した印字形成を指示し印刷が行われる。したがって、タグカードＣを１回かざすごとに１つの印字ラベルＬを生成する動作を複数回繰り返すことで、上記ナンバリング印刷を行うことができる。この結果、ユーザにとっての利便性を向上することができる。
【００６４】
特に、上記のようにプリンタ１に対するかざし操作を複数回繰り返す場合に、図７を用いて前述したようにある回の印字ラベル生成において何らかのエラー事象が発生し印字ラベルＬの生成が失敗（すなわちナンバリング印刷の途中中断）したとしても、ユーザがタグカードＣを用いて別のプリンタ１′に対し上記変数情報による印刷指示を行うことで、中断後の残りのナンバリング印刷を当該プリンタ１′において続行することできる（図７（ｄ）〜（ｆ）参照）。
【００６５】
また、本実施形態では特に、ユーザがタグカードＣを１回かざすごとに１つの文字情報が取得されて対応する１つの印字ラベルＬが生成され、生成後は上記１つの文字情報がインクリメントされて再びタグカードＣに書き込まれる。この動作を複数回繰り返すことで、複数の印字ラベルＬそれぞれに含まれる文字が順番にインクリメントされる、上記ナンバリング印刷を確実に実行することができる。
【００６６】
また、本実施形態では特に、所定のエラー事象が発生したと判定された場合（ステップＳ４０参照）には、上記情報更新処理及び上記情報書込処理が実行されない。これにより、前述のようにしてタグカードＣを１回かざすごとに１つの印字ラベルＬを生成する手法を実行する際に、図７を用いて説明したように、ある１つのプリンタ１においてエラー事象が発生した際、別のプリンタ１′に対し改めてタグカードＣをかざすことで、当該エラー事象発生時の文字情報（図７の例では文字情報「００１」）を用いた印字ラベルＬを確実に生成することができる。
【００６７】
なお、本発明は、上記実施形態に限られるものではなく、その趣旨及び技術的思想を逸脱しない範囲内で種々の変形が可能である。以下、そのような変形例を説明する。
【００６８】
（１）タグカードＣに生成済みの印字ラベルＬの文字情報を記憶させる場合
上記実施形態では、タグカードＣは、ナンバリング印刷でこれから生成する１つの印字ラベルＬに関わる１つの文字情報を記憶していたが、これに限られない。すなわちナンバリング印刷により既に生成済みの印字ラベルＬの文字情報を順次記憶させてもよい。そのような変形例を図９及び図１０により説明する。
【００６９】
本変形例においては、例えば図９（ａ）に示すように、タグカードＣのメモリ部１５５に、上記実施形態と同様のナンバリング印刷を指示する印刷コマンドと、生成する印字ラベルＬの枚数情報（個数情報の一例。この例では４枚を表す数字「４」。但し図中では○囲いの数字で示す。以下同じ）が記憶されている。
【００７０】
そして、前述と同様、ユーザが、タグカードＣを手に持ってプリンタ１にかざすと、タグカードＣとのＮＦＣ通信により、メモリ部１５５に記憶されている上記印刷コマンドが送信され、プリンタ１に対しナンバリング印刷が指示される。
【００７１】
これにより、プリンタ１は、図９（ｂ）に示すように、ナンバリング印刷における最初の文字情報として予め設定されていた文字情報「００１」に対応した、印字「００１」が形成された印字ラベルＬ（前述と同様の「００１」ラベルＬ）を生成する。なお、上記実施形態と同様に、この最初の文字情報「００１」もメモリ部１５５に記憶されており、上記ＮＦＣ通信によってプリンタ１において取得される構成でもよい。
【００７２】
上記「００１」ラベルＬの生成後、プリンタ１は、図９（ｃ）に示すように、上記「００１」ラベルＬの作成完了情報としての文字情報「００１」を上記ＮＦＣ通信によりタグカードＣに送信し、タグカードＣのメモリ部１５５に書き込む。この書き込みにより、タグカードＣのメモリ部１５５には、作成済みの印字ラベルＬの文字情報「００１」が追加して記憶される。
【００７３】
その後、ユーザが、図９（ｄ）に示すように、上記のようにして文字情報「００１」がメモリ部１５５に記憶されているタグカードＣを手に持って、改めてプリンタ１にかざすと、上記同様、ＮＦＣ通信により上記印刷コマンドと上記文字情報「００１」とがプリンタ１に送信される。
【００７４】
これにより、プリンタ１は、図９（ｅ）に示すように、上記送信されてきた文字情報のうち最も新しく追加された値（この例では「００１」のみが送信されているので当該「００１」）を一定の規則性でインクリメント（この例では数字を「１」ずつ増加）し、そのインクリメント後の文字情報（この例では数字列「００２」）に対応する「００２」ラベルＬを生成する。
【００７５】
上記「００２」ラベルＬの生成後、プリンタ１は、上記受信した「００１」に対し上記「００２」を追記した、作成完了情報としての文字情報「００１」「００２」を生成し、前述と同様、図９（ｆ）に示すようにタグカードＣに送信しメモリ部１５５に書き込む。この書き込みにより、タグカードＣのメモリ部１５５には、文字情報「００１」「００２」が記憶される。
【００７６】
その後、例えば、ユーザが、図１０（ａ）に示すように、使用するプリンタをプリンタ１と同様の構成を備えたプリンタ１′に意図的に変え、タグカードＣをプリンタ１′（詳細には上記第１アンテナ１４１ａ）にかざすと、前述と同様、ＮＦＣ無線通信により、メモリ部１５５に記憶されている上記印刷コマンド及び文字情報（「００１」「００２」）が送信され、プリンタ１′において取得される。
【００７７】
これにより、プリンタ１′は、図１０（ｂ）に示すように、前述と同様、取得された文字情報のうち最も新しく追加された値（この例では「００１」「００２」のうち「００２」）を「００３」にインクリメントし、そのインクリメント後の文字情報に対応した「００３」ラベルＬを生成する。
【００７８】
プリンタ１′は、前述と同様、「００３」ラベルＬの生成後、図１０（ｃ）に示すように、上記受信した「００１」「００２」に対し上記「００３」を追記した、作成完了情報としての文字情報「００１」「００２」「００３」を生成し、タグカードＣに送信しメモリ部１５５に書き込む。これにより、メモリ部１５５には、上記文字情報「００１」「００２」「００３」が記憶される。
【００７９】
その後、ユーザが、図１０（ｄ）に示すように、上記のようにして文字情報「００１」「００２」「００３」がメモリ部１５５に記憶されているタグカードＣを手に持って、改めてプリンタ１′にかざすと、上記同様、ＮＦＣ通信により上記印刷コマンドと上記文字情報（「００１」「００２」「００３」）とが送信されプリンタ１′で取得される。
【００８０】
これにより、プリンタ１′は、上記同様、図１０（ｅ）に示すように、取得された文字情報のうち最も新しく追加された「００３」を「００４」にインクリメントし、インクリメント後の文字情報「００４」に対応した「００４」ラベルＬを生成する。
【００８１】
そして、プリンタ１′は、上記受信した「００１」「００２」「００３」に対し上記「００４」を追記した、作成完了情報としての文字情報「００１」「００２」「００３」「００４」を生成し、前述と同様、図１０（ｆ）に示すようにタグカードＣに送信しメモリ部１５５に書き込む。この書き込みにより、タグカードＣのメモリ部１５５には、文字情報「００１」「００２」「００３」「００４」が記憶される。
【００８２】
これにより、メモリ部１５５に記憶された上記枚数情報（この例では４枚）分の全ての印字ラベルＬの作成が完了する（ナンバリング印刷の終了）。したがたて、例えばさらにタグカードＣをプリンタ１′にかざしてもプリンタ１′は応答することはない。
【００８３】
＜制御手順＞
本変形例の上記手法を実現するために、プリンタ１，１′の上記制御回路１４３によって実行される制御内容を、図１１のフローチャートにより説明する。なお、本変形例においても、この図１１に示す処理を実行するための印刷処理プログラムがプリンタ１，１′のメモリ１４４に記憶されている。
【００８４】
図１１において、まず、ステップＳ１０５で、制御回路１４３は、印字ラベルＬのナンバリング印刷の実行開始に関するフラグＦを初期化しＦ＝０とする。
【００８５】
その後、ステップＳ１１０で、制御回路１４３は、上記図８のステップＳ１０と同様、前述のようにユーザがタグカードＣが第１アンテナ１４１ａにかざされることで、タグカードＣとの間のＮＦＣ通信が確立したか否かを公知の適宜の手法（詳細説明は省略）により判定する。ＮＦＣ通信が確立されるまではステップＳ１１０の判定は満たされず（Ｓ１１０：ＮＯ）、ループ待機し、ＮＦＣ通信が確立されたらステップＳ１１０の判定が満たされて（Ｓ１１０：ＹＥＳ）、制御回路１４３は処理をステップＳ１１５に移す。
【００８６】
ステップＳ１１５では、制御回路１４３は、フラグＦがＦ＝１であるか否かを判定する。ナンバリング印刷の開始当初はＦ＝０であるので、ステップＳ１０５の判定が満たされず（Ｓ１０５：ＮＯ）、制御回路１４３は処理をステップＳ１２０に移す。
【００８７】
ステップＳ１２０では、制御回路１４３は、上記図８のステップＳ２０と同様、ステップＳ１１０で確立した上記ＮＦＣ通信を介し、タグカードＣのメモリ部１５５に記憶された上記枚数情報（前述の例では４枚を表す数字「４」。図９（ａ）参照））を取得する。ステップＳ１２０が終了すると、制御回路１４３は処理をステップＳ１３０に移す。
【００８８】
ステップＳ１３０では、制御回路１４３は、上記図８のステップＳ３０と同様、上記テープ送りローラ駆動軸１０８及び印字ヘッド２３を制御し、上記被印字テープ１０３に対し、ナンバリング印刷の最初の順番で印刷するものとして予め定められた文字情報（上記の例では文字情報「００１」）の印刷を実行する。これにより、被印字テープ１０３に上記「００１」が形成された「００１」ラベルＬが生成される。ステップＳ１３０が終了すると、制御回路１４３は処理をステップＳ１３５に移す。
【００８９】
ステップＳ１３５では、制御回路１４３は、後述のステップＳ１７０においてタグカードＣに送信するデータ（例えば上記ＲＡＭに一時的に記憶されている）に対し、上記「００１」ラベルに対応する文字情報「００１」を追加する。ステップＳ１３５が終了すると、制御回路１４３は処理をステップＳ１４０に移す。
【００９０】
ステップＳ１４０では、制御回路１４３は、上記フラグＦをＦ＝１とする。ステップＳ１４０が終了すると、制御回路１４３は処理をステップＳ１６０に移す。
【００９１】
ステップＳ１６０では、制御回路１４３は、再び、上記ステップＳ１１０と同様にタグカードＣが第１アンテナ１４１ａにかざされることで上記ＮＦＣ通信が確立されているか否かを公知の適宜の手法により判定する。ＮＦＣ通信が確立されていない場合はステップＳ１６０の判定は満たされず（Ｓ１６０：ＮＯ）、ループ待機し、ＮＦＣ通信が確立されていたらステップＳ１６０の判定が満たされ（Ｓ１６０：ＹＥＳ）、制御回路１４３は処理をステップＳ１７０に移す。
【００９２】
ステップＳ１７０では、制御回路１４３は、上記ＮＦＣ通信により、上記ステップＳ１３５で用意されている送信データ（文字情報「００１」を含む）をタグカードＣに送信し、タグカードＣのメモリ部１５５に書き込むことで、メモリ部１５５に記憶された情報を更新する。ステップＳ１７０が終了すると、制御回路１４３は処理をステップＳ１８０に移す。
【００９３】
ステップＳ１８０では、制御回路１４３は、上記ステップＳ１２０でタグカードＣから取得した上記枚数情報に対応した全枚数（前述の例では４枚）の印字ラベルＬの印刷が終了したか否かを判定する。全生成枚数の印字ラベルＬの印刷が終了していない場合はステップＳ１８０の判定が満たされず（Ｓ１８０：ＮＯ）、制御回路１４３は処理を上記ステップＳ１１０に戻す。
【００９４】
その後、ユーザが再度タグカードＣをかざすことでＮＦＣ通信が確立してステップＳ１１０の判定が満たされると、前述のステップＳ１４０でＦ＝１となっていることからステップＳ１１５の判定が満たされ（Ｓ１１５：ＹＥＳ）、制御回路１４３は処理をステップＳ１４５に移す。
【００９５】
ステップＳ１４５では、制御回路１４３は、ステップＳ１１０で確立した上記ＮＦＣ通信を介し、タグカードＣのメモリ部１５５にこの時点で記憶されている、既に生成済みの印字ラベルＬに関わる文字情報（例えば上記文字情報「００１」）と上記枚数情報（この例では４枚）とを取得する。このステップＳ１４５で実行する処理が請求項記載の情報取得処理に相当する。ステップＳ１４５が終了すると、制御回路１４３は処理をステップＳ１５０に移す。
【００９６】
ステップＳ１５０では、制御回路１４３は、上記ステップＳ１４５で取得された文字情報及び枚数情報に基づき、上記ステップＳ１４５で取得された文字情報のうち最も新しく追加されたもの（例えば文字情報「００１」）をインクリメントした文字情報（例えば文字情報「００２」）を生成する。そして、制御回路１４３は、その生成した文字情報（例えば文字情報「００２」）に基づき、上記ステップＳ１３０と同様、上記テープ送りローラ駆動軸１０８及び印字ヘッド２３を制御し、対応する「００２」ラベルＬを生成する。このステップＳ１５０で実行する処理が請求項記載の印刷物生成処理に相当する。ステップＳ１５０が終了すると、制御回路１４３は処理をステップＳ１５５に移す。
【００９７】
ステップＳ１５５では、制御回路１４３は、上記ステップＳ１３５と同様、制御回路１４３は、上記ステップＳ１４５で取得された文字情報（上記の例では文字情報「００１」。上記ＲＡＭに一時的に記憶されている）に対し、上記「００２」ラベルに対応する文字情報「００２」、言い換えれば対応する印字が新たに印字ラベルＬに形成された文字情報を追記し、新たな文字情報（この例では文字情報「００１」「００２」）を生成する。この結果、上記ＲＡＭ内に記憶された文字情報はこの例では複数の文字情報「００１」「００２」となる。このときにステップＳ１５５で実行する処理が請求項記載の情報更新処理に相当する。このようにしてステップＳ１５５が終了すると、制御回路１４３は処理を上記ステップＳ１６０に移す。
【００９８】
その後のステップＳ１６０では、前述のようにＮＦＣ通信が確立されることで
判定が満たされ（Ｓ１６０：ＹＥＳ）、さらにその後のステップＳ１７０において、制御回路１４３は、上記ＮＦＣ通信により、上記ステップＳ１５５で追記がなされたデータ（例えば文字情報「００１」「００２」を含む）をタグカードＣに送信し、タグカードＣのメモリ部１５５に書き込むことで、メモリ部１５５に記憶された文字情報を更新する。このときにステップＳ１７０で実行する処理が請求項記載の情報書込処理に相当する。
【００９９】
その後、ステップＳ１８０において全生成枚数の印字ラベルＬの印刷が終了していない間は判定が満たされず（Ｓ１８０：ＮＯ）、制御回路１４３は処理を上記ステップＳ１１０に戻し、以降、同様の手順を繰り返す。こうして、上記全作成枚数の印字ラベルＬが生成するまで（この例では４枚の印字ラベルＬが作成されるまで）は、ステップＳ１１０→ステップＳ１１５→ステップＳ１４５→ステップＳ１５０→ステップＳ１５５→ステップＳ１６０→ステップＳ１７０→ステップＳ１８０→ステップＳ１１０→・・の流れが繰り返される。その繰り返しの都度、タグカードＣから取得された文字情報のうち最新追加分をインクリメントした文字情報の印字ラベルＬが作成され、その文字情報が追記された文字情報がタグカードＣに書き込まれる。
【０１００】
そして、上記の流れの繰り返しにおいて、上記全生成枚数の印字ラベルＬの印刷が終了するとステップＳ１８０の判定が満たされ（Ｓ１８０：ＹＥＳ）、制御回路１４３はこのフローを終了する。
【０１０１】
本変形例においても、上記実施形態と同様、タグカードＣのメモリ部１５５に変数情報（上記の例では作成完了情報としての文字情報「００１」等）が記憶されており、この記憶された文字情報に基づき、プリンタ１においていわゆるナンバリング印刷が実行される。すなわち、ユーザがタグカードＣを手に持ってプリンタ１にかざすと、タグカードＣとのＮＦＣ通信を介し上記文字情報が取得される（ステップＳ１４５参照）。そして、その取得された文字情報に対応する印字（詳細には、上記取得された文字情報のうち最新に追加されている文字情報をインクリメントした文字情報の印字）が形成されて印字ラベルＬが生成され（ステップＳ１５０参照）、その印字ラベルＬの生成に対応した上記取得された文字情報の更新が行われる（ステップＳ１５５参照）。その後、ユーザが、再度タグカードＣを手に持ってプリンタ１にかざすことで、タグカードＣとのＮＦＣ通信が行われ、上記更新された文字情報がタグカードＣのメモリ部１５５に書き込まれる（ステップＳ１７０参照）。これにより、ユーザがタグカードＣをかざすたびに、上記一連の処理が実行され、その都度更新されている最新の文字情報に基づく印字を備えた印字ラベルＬが生成される。このようにして、本変形例においても、タグカードＣを１回かざすごとに１つの印字ラベルＬを生成する動作を複数回繰り返すことで、上記ナンバリング印刷を行うことができる。この結果、ユーザにとっての利便性を向上することができる。
【０１０２】
また、本変形例では特に、タグカードＣには、生成済みの印字ラベルＬに対応した少なくとも１つの文字情報に加え、生成される複数の印字ラベルＬの枚数を表す上記枚数情報が記憶されている。ユーザがタグカードＣをかざすことで、上記文字情報と枚数情報とがプリンタ１，１′で取得され（ステップＳ１４５参照）、上記枚数情報に対応する数の印字ラベルＬが、対応する各文字情報がインクリメントされつつ生成される（ステップＳ１５０参照）。ユーザがタグカードＣを再びかざすと、生成が完了した印字ラベルＬに対応した上記文字情報が、再びタグカードＣに書き込まれる（ステップＳ１７０参照）。
【０１０３】
これにより、ユーザは、図９及び図１０を用いて前述したように、上記生成枚数の全印字ラベルＬの生成が完了する前に、意図的にプリンタ１に代えてプリンタ１′に対しタグカードＣをかざすことで、残りの印字ラベルＬについては当該プリンタ１′において確実に生成できる。すなわち、上記全印字ラベルＬの数のうちある数（図９の例では２枚）までは１つのプリンタ１で作成した後、残りの印字ラベルＬ（図１０の例では４枚）については別のプリンタ１′により作成することができる。以上のようにして、本変形例においては、複数のプリンタ１，１′を使い分けつつ、複数の印字ラベルＬの上記ナンバリング印刷を確実に実行することができる。
【０１０４】
（２）テンプレート印刷においてナンバリングを行う場合
すなわち、本変形例では、ユーザが印刷内容を手動で設定入力する労力を軽減するために、テンプレートを用いたいわゆるテンプレート印刷が行われる。
【０１０５】
図１２（ａ）は、本変形例におけるテンプレートを用いて作成した印字ラベルＬ０の一例を表している。図１２（ｂ）は、当該印字ラベルＬ０を作成するために使用されるテンプレートＴ０の一例を表す。
【０１０６】
図１２（ａ）に示すように、この印字ラベルＬ０には、興行日を表す「４月１日」のテキスト印字Ｒ１と、興行名を表す「内子五郎オンステージ」のテキスト印字Ｒ２と、興行場所を表す「羽島市文化センター大ホール」のテキスト印字Ｒ３と、上記実施形態や変形例（１）と同様の手法のナンバリング印刷により形成された数字列「００１」の印字Ｒｎとが形成されている。
【０１０７】
図１０（ｂ）に示すように、上記印字ラベルＬ０を作成するために用いられるテンプレートＴ０には、複数のテキスト入力枠Ｗ（この例では３つのテキスト入力枠Ｗ１，Ｗ２，Ｗ３）が所望の態様で予め割り付けられている。このテンプレートＴ０は、プリンタ１の適宜の箇所（例えばメモリ１４４）にあらかじめ格納されている。そして、例えばユーザは、プリンタ１の上記キーボード３等を介し適宜に操作することで、呼び出した上記テンプレートＴ０の上記テキスト入力枠Ｗ１に対し印字オブジェクトとしてのテキスト文字「４月１日」を入力し、テキスト入力枠Ｗ２に対し印字オブジェクトとしてのテキスト文字「内子五郎オンステージ」を入力し、テキスト入力枠Ｗ３に対し印字オブジェクトとしてのテキスト文字「羽島市文化センター大ホール」を入力する。これにより、図１２（ｂ）に示されるように、テンプレートＴ０は、テキスト入力枠Ｗ１，Ｗ２，Ｗ３に上記３つの印字オブジェクトが挿入された状態とされる。
【０１０８】
この状態で、ユーザが上記実施形態や変形例（１）と同様にタグカードＣをプリンタ１の第１アンテナ１４１ａにかざしＮＦＣ通信を介して印刷指示を行うことで、プリンタ１は、上記テープ送りローラ駆動軸１０８及び印字ヘッド２３を制御し、上記図１２（ｂ）に示すテンプレートＴ０に対応する印字を形成して、図１２（ａ）に示す印字ラベルＬを生成する。その際、上述した手法により、テンプレートＴ０に対応した上記印字Ｒ１〜Ｒ３の形成と併せて、ナンバリング印刷による印字Ｒｎの形成を行い、印字ラベルＬを生成する。すなわち、タグカードＣを１回かざすごとに印字Ｒ１〜Ｒ３を備えた１つの印字ラベルＬを生成でき、かつ、各印字ラベルＬに対し、順次インクリメントされる印字Ｒｎ（図１３の例では数字「００１」「００２」「００３」・・）も併せて形成することができる。
【０１０９】
以上のように、本変形例では、テンプレートＴ０を用いた印字形成（いわゆるテンプレート印刷）により生成される印字ラベルＬにおいてさらにナンバリング印刷も併せて行う場合に、上記実施形態や変形例（１）と同様、タグカードＣに記憶した上記文字情報の内容をＮＦＣ通信によりプリンタ１に指示してナンバリング印刷を行うことができる。
【０１１０】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１１１】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【０１１２】
なお、以上において、図５中に示す矢印は信号の流れの一例を示すものであり、信号の流れ方向を限定するものではない。
【０１１３】
また、図８、図１１に示すフローチャートは本発明を上記フローに示す手順に限定するものではなく、発明の趣旨及び技術的思想を逸脱しない範囲内で手順の追加・削除又は順番の変更等をしてもよい。
【０１１４】
また、以上既に述べた以外にも、上記実施形態や各変形例による手法を適宜組み合わせて利用しても良い。
【０１１５】
その他、一々例示はしないが、本発明は、その趣旨を逸脱しない範囲内において、種々の変更が加えられて実施されるものである。
【符号の説明】
【０１１６】
１                プリンタ（印刷装置）
２３              印字ヘッド（印刷手段）
１０３            被印字テープ（被印字媒体）
１０８            テープ送りローラ駆動軸（搬送手段）
１４１            ＮＦＣ用通信部（通信手段）
１４３            制御回路（制御手段）
１４４            メモリ（記憶手段）
Ｃ                タグカード（通信媒体）
Ｌ                印字ラベル（印刷物）
Ｔ０              テンプレート
【図１】
2020124850.tif 000003
【図２】
2020124850.tif 000004
【図３】
2020124850.tif 000005
【図４】
2020124850.tif 000006
【図５】
2020124850.tif 000007
【図６】
2020124850.tif 000008
【図７】
2020124850.tif 000009
【図８】
2020124850.tif 000010
【図９】
2020124850.tif 000011
【図１０】
2020124850.tif 000012
【図１１】
2020124850.tif 000013
【図１２】
2020124850.tif 000014
【図１３】
2020124850.tif 000015